(57)【要約】      （修正有）【課題】複数のティーバッグを容易に区別することができる飲料抽出用シート、飲料抽出用バッグ、ティーバッグ又はティーバッグを有した包装体を提供する。【解決手段】飲料抽出用シート１は、繊維の太さを１５以上６０ｄｔｅｘ以下とし、繊維密度を１インチ当たり７０以上１４０本以下とするナイロン繊維を用いたメッシュシート２を備え、メッシュシートは、飲料抽出用バッグ又はティーバッグにした際に着色のないバッグと一見して容易に区別するために、食用の合成着色料により染色され、飲料の抽出原料を収容可能な袋状に形成されるものである。また、メッシュシートの一方の面には、タグ３及び糸部４を有した吊り下げ糸５が取り付けられている。【選択図】図１
0003214026.tif 000002
【実用新案登録請求の範囲】
【請求項１】
繊維の太さを１５ｄｔｅｘ以上６０ｄｔｅｘ以下とし、繊維密度を１インチ当たり７０本以上１４０本以下とするナイロン繊維を用いたメッシュシートを備え、
前記メッシュシートは、食用の合成着色料により染色され、
飲料の抽出原料を収容可能な袋状に形成される飲料抽出用シート。
【請求項２】
前記メッシュシートの繊維の太さが、２０ｄｔｅｘ以上３５ｄｔｅｘ以下である請求項１に記載の飲料抽出用シート。
【請求項３】
前記メッシュシートの一方の面には、タグ及び糸部を有した吊り下げ糸が取り付けられている請求項１又は２に記載の飲料抽出用シート。
【請求項４】
前記合成着色料は、黄色４号、黄色５号、青色１号、青色２号、赤色１０２号、赤色１０５号及び赤色１０６号のいずれか又は２以上の単色の合成着色料を組み合わせて生成されたものである請求項１から３のいずれか一項に記載の飲料抽出用シート。
【請求項５】
請求項１から４のいずれか一項に記載の飲料抽出用シートを備え、
この飲料抽出用シートが飲料の抽出原料を収容可能な袋状に形成された飲料抽出用バッグ。
【請求項６】
請求項５に記載の飲料抽出用バッグを備え、
この飲料抽出用バッグの内部に飲料の抽出原料を収容して開口部が閉じられたティーバッグ。
【請求項７】
請求項６に記載のティーバッグを備え、
このティーバッグを紫外線カットフィルムを備えた外装体に収容したティーバッグを有した包装体。
【請求項８】
メッシュシートにタグ及び糸部を有した吊り下げ糸が取り付けられ、
少なくとも前記糸の一部が食用の合成着色料により染色されている飲料抽出用シート。
【請求項９】
請求項８に記載の飲料抽出用シートを備え、
この飲料抽出用シートを袋状にして形成された飲料抽出用バッグ。
【考案の詳細な説明】
【技術分野】
【０００１】
本考案は、飲料抽出用シート、飲料抽出用バッグ、ティーバッグ又はティーバッグを有した包装体に関する。
【背景技術】
【０００２】
従来の嗜好性飲料抽出用フィルターまたは抽出用バッグの素材として、白色又は白色の半透明の合成繊維が用いられている。（例えば、下記特許文献１）。
【先行技術文献】
【特許文献】
【０００３】
【特許文献１】特許第３０８３１９０号公報
【考案の概要】
【考案が解決しようとする課題】
【０００４】
茶葉の販売店等では、顧客の要望に応じて茶葉をティーバッグに封入して販売することがあるが、顧客が異なる複数種類の茶葉を選択した場合、白色の飲料抽出用バッグでは異なる茶葉を収容したティーバッグ同士の区別がし難いという課題があった。
また、互いに異なる茶葉を予め収容した複数種類のティーバッグをセットで販売する場合であっても、従来の飲料抽出用バッグ又はティーバッグでは、顧客が各ティーバッグにどの茶葉が入っているのかを一見して区別しにくいという課題があった。
しかし、従来の飲料抽出用シート、飲料抽出用バッグ及びティーバッグには、これらを一見して区別させ得るものは無かった。
そこで本考案は、複数のティーバッグを区別しやすくする飲料抽出用シート、飲料抽出用バッグ、ティーバッグ及びティーバッグを有した包装体を提供する。
【課題を解決するための手段】
【０００５】
本考案の飲料抽出用シートは、繊維の太さを１５ｄｔｅｘ以上６０ｄｔｅｘ以下とし、繊維密度を１インチ当たり７０本以上１４０本以下とするナイロン繊維を用いたメッシュシートを備え、前記メッシュシートは、食用の合成着色料により染色され、飲料の抽出原料を収容可能な袋状に形成されるものである。
この構成によれば、メッシュシートが食用の合成着色料により染色されているため、飲料抽出用バッグ又はティーバッグにした際に着色のないティーバッグ等と一見して容易に区別することができる。
【０００６】
本考案の飲料抽出用シートのメッシュシートの繊維の太さは、２０ｄｔｅｘ以上３５ｄｔｅｘ以下であってもよい。
この構成によれば、織り易く又はバランスのよいシートとすることができる。
【０００７】
本考案の飲料抽出用シートの前記メッシュシートの一方の面には、タグ及び糸部を有した吊り下げ糸が取り付けられていてもよい。
この構成によれば、予め飲料抽出用シートに吊り下げ糸が取り付けられているので、その後の飲料抽出用バッグの形成が容易となる。
【０００８】
本考案の飲料抽出用シートに用いられる前記合成着色料は、黄色４号、黄色５号、青色１号、青色２号、赤色１０２号、赤色１０５号及び赤色１０６号のいずれか一色又は２以上の単色の合成着色料を組み合わせて生成されたものであってもよい。
この構成によれば、メッシュシートを鮮明に染色することができる。
【０００９】
本考案の飲料抽出用バッグは、前記（１）−（４）のいずれか一に記載の飲料抽出用シートを備え、この飲料抽出用シートが飲料の抽出原料を収容可能な袋状に形成されている。
この構成によれば、前記（１）−（４）のいずれかと同様の作用又は機能を奏する飲料抽出用バッグとすることができる。
【００１０】
本考案のティーバッグは、前記（５）に記載の飲料抽出用バッグを備え、この飲料抽出用バッグの内部に飲料の抽出原料を収容して開口部が閉じられている。
この構成によれば、前記（５）と同様の作用又は機能を奏するティーバッグとすることができる。
【００１１】
本考案のティーバッグを有した包装体は、前記（６）に記載のティーバッグを備え、このティーバッグを紫外線カットフィルムを備えた外装体に収容している。
この構成によれば、メッシュシートに施した染色の色褪せを防止することができる。
【００１２】
本考案の飲料抽出用シートは、タグ及び糸部を有した吊り下げ糸がメッシュシートに取り付けられ、少なくとも前記糸部の一部が食用の合成着色料により染色されている。
この構成によれば、吊り下げ糸の糸部が食用の合成着色料により染色されているため、吊り下げ糸に着色がされていないティーバッグ等と一見して容易に区別することができる。
【００１３】
本考案の飲料抽出用バッグは、前記（８）に記載の飲料抽出用シートを備え、この飲料抽出用シートを袋状にして形成されている。
この構成によれば、前記（８）と同様の作用及び機能を奏する。
【考案の効果】
【００１４】
本考案の飲料抽出用シート、飲料抽出用バッグ、ティーバッグ及びティーバッグを有した包装体は、複数のティーバッグとした状態でそれらを容易に区別することができるという効果を奏する。
【図面の簡単な説明】
【００１５】
【図１】本考案の一実施形態である飲料抽出用シートを示した平面図である。
【図２】（ａ）本考案の一実施形態であるテトラ形状の飲料抽出用バッグを示した斜視図である。（ｂ）本考案の一実施形態である偏平形状のティーバッグを示した正面図である。
【図３】本考案の一実施形態であるティーバッグを有した包装体を示した正面図である。
【考案を実施するための形態】
【００１６】
以下、本考案の実施形態について、図を参照して説明する。
【００１７】
本考案の飲料抽出用シート１は、図１に示すように、飲料の抽出原料を保持して液体を濾すためのメッシュシート２と、紙製等のタグ３及びタグ３とメッシュシート２とを連結させる糸部４とを有した吊り下げ糸５を備えている。
メッシュシート２の形成には、ナイロンを原料としたモノフィラメント又はマルチフィラメントが用いられている。ナイロンを原料とすることにより後述する合成着色料による染色が可能となる。
【００１８】
本考案に用いられるフィラメント糸の太さは、１５ｄｔｅｘ以上６０ｄｔｅｘ以下であればよいが、２０ｄｔｅｘ以上３５ｄｔｅｘ以下であることが好ましく、２２ｄｔｅｘ以上３３ｄｔｅｘ以下であることがより好ましい。前記範囲の繊度であると、フィラメント糸の製織時の製織工程における製織安定性に優れ、且つ、製織された透水シートの風合い（柔軟性）の良好なものが得やすい。
【００１９】
メッシュシート２は、フィラメント糸を規則的に配列させた経糸及び緯糸を平織りにしたシートである。
メッシュシート２の繊維密度は、前記した太さを有するフィラメント糸を用いたとして、１インチ当たり７０以上１４０本以下とすることができる。
【００２０】
このようにして作成されたメッシュシート２は、食用の合成着色料により染色されている。
合成着色料には、黄色４号、黄色５号、青色１号、青色２号、赤色１０２号、赤色１０５号、赤色１０６号のいずれかを用いることができる。合成着色料を前記単色以外の色とする場合には、単色の合成着色料（但し、食用に限る。以下同様）を複数組み合わせて生成されたものであってもよい。例えば、緑色は、黄色４号を７２％と青色１号を２８％とを調整して生成することができる。飲料抽出用シート１に用いられる合成着色料としては、特に限定されないが、例えば黄色４号、黄色５号、青色１号、青色２号、赤色１０２号、赤色１０６号及び黄色４号７２％と青色１号２８％とを調整して生成された緑色を好適に用いることができる。
【００２１】
前記食用の合成着色料により染色されたメッシュシート２は、染色後の精錬加工に加えて、食品専用のラインでの精錬加工を施すことにより飲料抽出用シート１に適したものになっている。
【００２２】
吊り下げ糸５は、小片に形成された紙製等のタグ３と、ナイロンにより形成された糸部４とを有している。この吊り下げ糸５は、糸部４の一端をメッシュシート２の一方の面に貼着させているとともに、必須ではないがタグ３を容易に剥離可能にメッシュシート２の前記一方の面に固定されている。
以上のように飲料抽出用シート１が構成されている。
【００２３】
本考案の飲料抽出用バッグ６は、図２（ａ），（ｂ）に示すように、飲料の抽出原料（不図示。以下同様）を収容する開口部７を設けた状態で飲料抽出用シート１の他の部分を閉じて袋状にすることにより形成されている。
【００２４】
飲料抽出用バッグ６の形状は、特に限定されるものではないが、図２（ａ）に示したような４面体形状のいわゆるテトラ形状、その他の多面体、図２（ｂ）に示すようにメッシュシート２を折り畳んで矩形又は多角形状にした略偏平形状、又は球形などとすることができる。
【００２５】
本考案のティーバッグ１０は、飲料抽出用バッグ６の内部に飲料の抽出原料を収容させて開口部７を閉じて形成されている。
【００２６】
以上のようにして形成された本考案の飲料抽出用シート１、飲料抽出用バッグ６及びティーバッグ１０は、メッシュシート２の色彩を個々に異ならせることにより、複数のティーバッグ１０同士を容易に区別することができるという効果を奏する。
また、本考案の飲料抽出用シート１、飲料抽出用バッグ６及びティーバッグ１０は、少なくとも吊り下げ糸５の糸部４の一部を食用の合成着色料により染色していることによっても、複数のティーバッグ１０を容易に区別することができる。
【００２７】
また、本考案の飲料抽出用シート１、飲料抽出用バッグ６及びティーバッグ１０は、カラフルな色彩により従来のティーバッグ１０等には無い華やかさ、見た目の楽しさを与え、商品の付加価値を高めることができると効果を奏する。
【００２８】
また、本考案の飲料抽出用シート１、飲料抽出用バッグ６及びティーバッグ１０は、例えば図３に示すように、保存又は運搬時のために紫外線カットフィルムを備えた包装袋（外装体）１１に収容されたもの（ティーバッグを有した包装体１２）であってもよい。
このような構成により、本考案の飲料抽出用シート１、飲料抽出用バッグ６及びティーバッグ１０の色褪せを防止することができるという効果を奏する。
【００２９】
なお、上記実施形態では、飲料抽出用シート１として、吊り下げ糸５が取り付けられているものを例示したが、吊り下げ糸５はなくてもよい。
また、本考案の飲料抽出用シート１、飲料抽出用バッグ６及びティーバッグ１０は、メッシュシート２及び吊り下げ糸５の双方を食用の合成着色料により染色したものであってもよい。
【００３０】
また、吊り下げ糸５は、糸部４のタグ３側（吊り下げた際の上部）、中央部、又は袋状のメッシュシート２側（吊り下げた際の下部）のいずれかの部分のみが染色されていても、いずれかの部分以外が染色されていても、全体が染色されていてもよい。また、吊り下げ糸５のタグ３も糸部４と同じ色に着色されていてもよい。また、吊り下げ糸５の糸部４を合成着色料により染色しない場合は、糸部４はナイロン繊維以外により形成されていてもよい。
【符号の説明】
【００３１】
１・・・飲料抽出用シート
２・・・メッシュシート
３・・・タグ
４・・・糸部
５・・・吊り下げ糸
６・・・飲料抽出用バッグ
７・・・開口部
１０・・・ティーバッグ
１２・・・ティーバッグを有した包装体
【図１】
0003214026.tif 000003
【図２】
0003214026.tif 000004
【図３】
0003214026.tif 000005